(57)【要約】【課題】  メダル払出口から異物挿入等の不正行為を防止する手段を備えたスロットマシンを提供する。【解決手段】  メダル投入口７１から投入されたメダルの真偽を判定するメダルセレクタ３４を備え、メダルセレクタ３４により偽と判定されたメダルをキャンセルシュート３６に導くようにしたスロットマシンにおいて、このキャンセルシュート３６内に回転可能な遮蔽回転体８０を備えている。この遮蔽回転体８０は、遮蔽回転体８０の回転と共にキャンセルシュート３６内の通路を塞ぐように回転移動する遮蔽部材と、メダルセレクタ３４から排出されたメダルを収納するメダル収納空間部とを備えている。メダル収納空間部に収納したメダルは、遮蔽回転体８０の回転によりキャンセルシュート３６の下方部に落下し、メダル払出口６１からメダル受皿６ａに払出される。【選択図】  図４
2006198089.tif 000002
【特許請求の範囲】
【請求項１】
メダル投入口から投入されたメダルの真偽を判定するメダルセレクタを備え、前記メダルセレクタにより偽と判定されたメダルをキャンセルシュートに導くようにしたスロットマシンにおいて、
前記キャンセルシュート内に回転可能な遮蔽回転体を備え、
前記遮蔽回転体は、前記遮蔽回転体の回転と共に前記キャンセルシュート内の通路を塞ぐように回転する遮蔽部材と、前記メダルセレクタから排出されたメダルを収納するメダル収納空間部とを備え、
前記メダル収納空間部に収納したメダルは、前記遮蔽回転体の回転により前記キャンセルシュートの下方部に落下可能にされていることを特徴とするスロットマシン。
【請求項２】
前記メダルセレクタから排出されたメダルを検出するセンサを備え、
前記センサの前記メダルの検出信号に基づいて、前記遮蔽回転体を回転させて前記メダル収納空間部に収納したメダルを前記キャンセルシュートの下方に落下させる遮蔽回転体制御手段を備えていることを特徴とする請求項１に記載のスロットマシン。
【請求項３】
前記メダルセレクタから排出されたメダルが前記メダル収納空間部に収納されたことを検出するセンサを備え、
前記センサの前記メダルの検出信号に基いて、前記遮蔽回転体を回転させて前記メダル収納空間部に収納したメダルを前記キャンセルシュートの下方に落下させる遮蔽回転体制御手段を備えていることを特徴とする請求項１に記載のスロットマシン。
【請求項４】
前記遮蔽回転体を所定速度で回転させる遮蔽回転体制御手段と、前記遮蔽回転体の回転異常を検出する遮蔽回転体異常検出手段を備えていることを特徴とする請求項１から請求項３のいずれかに記載のスロットマシン。
【請求項５】
前記遮蔽部材は、前記遮蔽回転体の回転軸受部から回転外周部まで延設された第１の遮蔽部材から構成されることを特徴とする請求項１から請求項４のいずれかに記載のスロットマシン。
【請求項６】
前記遮蔽回転体は、回転軸受部の一方の側面部に前記遮蔽部材を一体に接続した側壁円板を備え、
前記遮蔽部材は、前記遮蔽回転体の回転軸受部から回転外周部まで延設された第１の遮蔽部材と、前記メダル収納空間部の回転外周部から前記回転軸受部方向に所定の長さ配設された第２の遮蔽部材を備えていることを特徴とする請求項１から請求項４のいずれかに記載のスロットマシン。
【発明の詳細な説明】
【技術分野】
【０００１】
本発明は、遊技機であるスロットマシン、特に、不正行為を防止する手段を備えたスロットマシンに関するものである。
【背景技術】
【０００２】
一般的なスロットマシンは、前扉に形成された透明な表示窓を通して筐体内に配設された３列のリールが目視される。各リールの周面には複数種類の図柄が配列されて描かれている。遊技者は、遊技媒体であるメダルを所定の枚数メダル投入口に投入してスタートレバーを傾倒操作すると、リールは一斉に回転を開始して図柄が変動表示される。続いて、回転する各リールを個別に停止させるためのストップボタンを押圧操作すると、回転しているリールは制動されて停止する。そして、各リールが表示する図柄の組み合せが入賞役に係る図柄の組み合せになって有効ライン上に揃うと入賞が確定し、この入賞図柄の組み合せに応じた数のメダルがメダルホッパ装置からコイン受皿に払出される。
【０００３】
上記のような構成のスロットマシンにおいては、遊技者がスタートレバーを傾倒操作させた時点で、内部抽選と呼ばれる乱数を使った入賞役（特別入賞役、小役、リプレイ）の抽選が行なわれる。すなわち、スロットマシンは、内部抽選によってある入賞役に当選したとき、この当選した入賞役に係る図柄を記憶し、ストップボタンが押圧操作された時点から所定時間（例えば１９０ｍ秒）内にこの図柄を有効ライン上に停止させることが可能である場合、当該リールの回転を制御してこの入賞に係る図柄を有効ライン上に停止させている（このようなリール制御を「引き込み制御」という）。これにより、スロットマシンの入賞またはハズレを決定づける要素は、乱数を使った内部抽選に大きく依存することとなり、熟練遊技者等による遊技の技術的介入を排除して、公正な遊技が行えるようになっている。
【０００４】
このようなスロットマシンにおいては、メダル投入口の下方にはメダルセレクタが設置されている。このメダルセレクタは、メダル投入口から投入されたメダルの真偽の判定と、その枚数を計測するために設定されている。メダルセレクタにより正しいと判定されたメダルは、メダルホッパ装置に導かれる。一方、不正と判定されたメダルは、選別されてメダルセレクタからキャンセルシュートに排出される。キャンセルシュートは、スロットマシンの筐体前面部に設けられているメダル受皿にメダル払出口を介して連通している。このため、不正と判定されたメダルは、メダル受皿に戻されるようになっている。
なお、メダルセレクタは、メダル投入口から投入されたメダルを案内通路上に導きながら、光センサ、磁気センサ等によりメダルの大きさや材質等についてその真偽を判定し、真正なメダルについてはその枚数を計測する機能を備えている。
【０００５】
また、スロットマシンの筐体内には、遊技者が入賞役を獲得したときにメダルを払出すためのメダル払出装置が設けられている。このメダル払出装置は、メダルを貯留するためのメダルホッパ装置と、このメダルホッパ装置の底部にモータにより回転するディスク部と、メダルホッパ装置下部に形成されたメダル排出口、等から構成されている。また、ディスク部の上面には１枚のメダルを嵌入させるための凹部が複数配設されている。そして、遊技者が入賞役を獲得すると、スロットマシンの動作制御プログラムは、このモータを作動させてディスク部を回転させ、凹部に嵌入しているメダルをメダル排出口から入賞役に相当する枚数分のメダルをキャンセルシュートに１枚ずつ払出す処理を行う。キャンセルシュートに排出された入賞役に相当する枚数分のメダルは、キャンセルシュート下端のメダル払出口からメダル受皿に払出される。
【０００６】
さらに、メダル投入口から投入されたメダルについて、メダルセレクタに設置されている光センサが１ゲームに必要な所定の枚数分を計測すると、スロットマシンの動作制御プログラムは、メダル払出装置のディスク部の回転を停止する制御を行うようにしている。
【０００７】
このような構成のスロットマシンにおいては、筐体前面部に設置されているメダル受皿のメダル払出口から異物、例えば、ピアノ線等の針金を挿入して、メダルセレクタに設置されているセンサを誤動作させるという不正行為が発生することがあった。メダルセレクタに設置されているセンサが誤動作すると、メダル投入口からメダルを投入していないにもかかわらず、不正にゲームを実施することが可能になり、さらに、メダル払出装置のディスク部が回転し続けて不正にメダルを獲得することが可能になることもあった。
【０００８】
このような不正行為を防止する手段を備えたスロットマシンとしては、下記の特許文献に記載の発明が提案されている。
【０００９】
【特許文献１】特開２００４−１６６８０６号公報（明細書第７頁〜第１０頁、図１、図５）
【００１０】
特許文献１には、メダルセレクタのメダル通路の上流側に第１のセンサ、下流側に第２のセンサを配置し、かつ、第１のセンサおよび第２のセンサはメダルの進行方向に対してそれぞれ上下に離隔して配置することにより、不正行為に係わる棒を戻す際にセンサが反応し、不正行為を検出するようにしたメダルセレクタが記載されている。
【発明の開示】
【発明が解決しようとする課題】
【００１１】
特許文献１に記載の発明は、例えば、メダル投入口から異物を挿入したときに、メダルセレクタの誤動作を防止することを目的としたものであって、メダル受皿のメダル払出口から針金等の異物を挿入するという不正行為を根本的に防止する技術に関するものではない。
【００１２】
そこで、本発明の目的は、コイン受皿に設けられているコイン払出口から挿入された針金等の異物がメダルセレクタに達することを確実に防止することができる不正防止手段を備えたスロットマシンを提供することにある。
【課題を解決するための手段】
【００１３】
本発明は、メダル投入口から投入されたメダルの真偽を判定するメダルセレクタを備え、前記メダルセレクタにより偽と判定されたメダルをキャンセルシュートに導くようにしたスロットマシンにおいて、
前記キャンセルシュート内に回転可能な遮蔽回転体を備え、
前記遮蔽回転体は、前記遮蔽回転体の回転と共に前記キャンセルシュート内の通路を塞ぐように回転する遮蔽部材と、前記メダルセレクタから排出されたメダルを収納するメダル収納空間部とを備え、
前記メダル収納空間部に収納したメダルは、前記遮蔽回転体の回転により前記キャンセルシュートの下方部に落下可能にされているスロットマシンでる。
【００１４】
さらに、本発明のスロットマシンは、前記メダルセレクタから排出されたメダルを検出するセンサを備え、
前記センサの前記メダルの検出信号に基づいて、前記遮蔽回転体を回転させて前記メダル収納空間部に収納したメダルを前記キャンセルシュートの下方に落下させる遮蔽回転体制御手段を備えているスロットマシンである。
【００１５】
さらに、本発明のスロットマシンは、前記メダルセレクタから排出されたメダルが前記メダル収納空間部に収納されたことを検出するセンサを備え、
前記センサの前記メダルの検出信号に基いて、前記遮蔽回転体を回転させて前記メダル収納空間部に収納したメダルを前記キャンセルシュートの下方に落下させる遮蔽回転体制御手段を備えているスロットマシンである。
【００１６】
さらに、本発明のスロットマシンは、前記遮蔽回転体を所定速度で回転させる遮蔽回転体制御手段と、前記遮蔽回転体の回転異常を検出する遮蔽回転体異常検出手段を備えているスロットマシンである。
【００１７】
さらに、本発明のスロットマシンは、前記遮蔽部材は、前記遮蔽回転体の回転軸受部から回転外周部まで延設された第１の遮蔽部材から構成されるスロットマシンである。
【００１８】
さらに、本発明のスロットマシンは、前記遮蔽回転体は、回転軸受部の一方の側面部に前記遮蔽部材を一体に接続した側壁円板を備え、
前記遮蔽部材は、前記遮蔽回転体の回転軸受部から回転外周部まで延設された第１の遮蔽部材と、前記メダル収納空間部の回転外周部から前記回転軸受部方向に所定の長さ配設された第２の遮蔽部材を備えているスロットマシンである。
【発明の効果】
【００１９】
本発明によるスロットマシンは、次のような効果を有している。
（１）遮蔽回転体に形成されている遮蔽部材は、遮蔽回転体がキャンセルシュート内を回転するときに、このキャンセルシュート内に直線状の連通が発生しないような作用を行う。このため、不法行為によりメダル受皿のメダル払出口から挿入された針金等の異物は、この回転する遮蔽部材が障害になって、メダルセレクタまで達することを確実に防止することが可能になる。
【００２０】
（２）所定の一定速度で回転している遮蔽回転体が停止、あるいは異常回転した場合には、遮蔽回転体異常検出手段はその異常を検出し、警報装置によりその異常を報知することが可能になる。これにより、不正行為が行われた場合には、直ちにこの不正行為を発見することができるようになる。
【００２１】
（３）遮蔽回転体に形成されているメダル収納空間部は、遮蔽回転体の中心部から外周方向に伸びる空間部により構成され、さらに、その外周部は開放された平面視で扇型形状をなしている。これにより、メダル収納空間部に収納されたメダルは、遮蔽回転体の回転に伴って、確実にキャンセルシュートの下方に自重により落下させてメダル受皿に戻すことができる。
【発明を実施するための最良の形態】
【００２２】
以下、本発明に係るスロットマシンの一実施形態について図面を参照して説明する。図１は、スロットマシン１の外観構造を表した斜視図、図２は、前扉３を開放した状態におけるスロットマシン１の内部構造を表した図である。
【００２３】
図１において、スロットマシン１は、略矩形状の箱体である筐体２と、この筐体２と蝶番機構により開閉可能に取り付けられた前扉３とを備えている。前扉３の前面側は、上部パネル部４と下部パネル部５に略区分けされ、これらは視覚効果を高めてデザインされたいわゆる化粧板として、硬質プラスチックにより一体的に形成されている。さらに、下部パネル部５の下方には、入賞時に払い出されるメダル（遊技媒体）を貯留するメダル受皿６ａが一体的に形成された受皿ユニット６が設けられている。
【００２４】
また、上部パネル部４と下部パネル部５との間に、遊技者側に突出し、ゲーム操作を行うためのスイッチ類が配置されている操作卓７が一体的に形成されている。なお、上部パネル部４、操作卓７、下部パネル部５、および受皿ユニット６は、遊技者側に面し、これらによって「前面パネル部」が構成される。
【００２５】
上部パネル部４の中央には、硬質プラスチック板等で形成されたパネル面４１が設けられている。パネル面４１のほぼ中央には略長方形の透明な表示窓４２が形成され、表示窓４２を通して筐体２内に設けられているリールユニット１００の３個のリール１０１ａ、１０１ｂ、１０１ｃが目視される。
【００２６】
筐体２内に設置されているリールユニット１００は、円筒形状のリール１０１ａ、１０１ｂ、１０１ｃがそれぞれ回転軸方向に並べられ、各リール１０１ａ、１０１ｂ、１０１ｃの外周面にはその周方向に沿って複数種類の図柄が描かれている。遊技者は、表示窓４２を通して３列のリールリール１０１ａ、１０１ｂ、１０１ｃに描かれたそれぞれ上下方向３個の図柄を目視できるようになっている。
【００２７】
また、パネル面４１には、裏面側に設けられている図示しないランプを点灯させることで、例えば、入賞役への内部当選など遊技状態に関する情報を演出表示する遊技状態表示部４３と、複数の発光ダイオードを点灯させてドット画像を演出表示するドットマトリクス表示部４４、スロットマシン１にクレジット（貯留）されているメダル数や、入賞によって獲得したメダル数、または入賞役への当選回数等の情報を数値表示する数値情報表示部４５が、それぞれ表示窓４２の周辺に設けられている。
【００２８】
上部パネル部４の上部には、高輝度発光ダイオード等のランプ類を内蔵する照明装置４６と、ゲームに係る効果音を発生させる演出用放音部４７ａ、４７ｂがそれぞれ配置されている。
【００２９】
また、演出用放音部４７ａ、４７ｂの間には、透明な硬質プラスチック板等が嵌め込まれて形成された表示窓４２に面して液晶表示ユニットからなる表示装置４８が配置されている。なお、表示装置４８は、ゲームの演出に係る映像を主に表示する。
【００３０】
上部パネル部４の側部には、蛍光灯や高輝度発光ダイオードで形成された照明装置４９ａ、４９ｂが設けられている。ゲームの進行に応じて上述した複数の照明装置４６、４９ａ、４９ｂ等が点灯または点滅することで、ゲームにおける視覚的な演出効果を高めるように形成されている。
【００３１】
操作卓７の上面右側には、メダルを投入するための投入口を有するメダル投入口７１が設けられている。また、当該上面の左側には、押しボタンスイッチである３個のベットボタン７２、７３、７４が設けられている。
【００３２】
ベットボタン７２、７３、７４は、スロットマシンの１ゲームに賭けるメダルの枚数を提示するためのボタンスイッチである。ゲームを開始する際に、ベットボタン７２が押圧操作されることで、貯留されているメダルから１枚のメダルがゲームに対して賭けられる。同様に、ベットボタン７３が押圧操作されることで２枚のメダルが賭けられ、ベットボタン７４が押圧操作されることで３枚のメダルが当該ゲームに賭けられる。なお、ベットボタン７４は、最大枚数のメダルを賭けることから、特に「マックスベットボタン」と呼ばれている。
【００３３】
操作卓７の前面左側には、リール１０１ａ、１０１ｂ、１０１ｃの回転開始を指示するためのスタートレバー７５が設けられている。スタートレバー７５は、先端に球形の操作ノブを有する揺動可能な操作旱を備え、操作旱が傾倒操作されるとオン、操作旱から手が離されるとスプリングの付勢力によって自動的に元の位置に戻ってオフ状態となるスイッチユニットで形成されている。
【００３４】
また、操作卓７の中央には、各リール１０１ａ、１０１ｂ、１０１ｃの回転停止をそれぞれ指示するためのストップボタン７６ａ、７６ｂ、７６ｃが各リールの配列に対応して並設されている。
【００３５】
操作卓７の前面右側には、前扉３を開錠するための鍵が挿入される鍵穴７７が設けられている。スロットマシン１の管理者等が鍵穴７７に所定の鍵を挿入して開錠操作すると、蝶番機構によって筐体２に取り付けられている前扉３を前方へ開くことができ、また前扉３を筐体２側に閉じると、自動的にこれらを施錠するようになっている。
【００３６】
下部パネル部５には、スロットマシン１のモデルタイプを遊技者へ認識させる等のため、登場キャラクターの絵などを表示するパネル５１が設けられている。下部パネル部５の下側に配置された受皿ユニット６には、入賞時にメダルを排出するメダル払出口６１と、払い出されたメダルを貯留するメダル受皿６ａと、演出効果音を発生させるスピーカを内蔵する放音部６２がそれぞれ配置されている。
【００３７】
次に、図２を参照して、筐体２の内部構造と前扉３の裏面構造とを説明する。同図において、筐体２内の上部には、スロットマシン１の全体動作を集中制御するＣＰＵ（マイコン）を備え硬質プラスチックのケースに収納された主制御基板２０が取り付けられている。
【００３８】
筐体２内の中央には、リール１０１ａ、１０１ｂ、１０１ｃを備えるリールユニット１００が設けられている。リールユニット１００は、前扉３が筐体２側に閉じられると前扉３の表示窓４２にリール１０１ａ、１０１ｂ、１０１ｃが対向するように、所定フレームに位置決めされて取り付けられている。なお、各リール１０１ａ、１０１ｂ、１０１ｃは、それぞれに内蔵されたステッピングモータによって回転駆動される。
【００３９】
また、リールユニット１００の上部には、各リールを回転駆動する上記ステッピングモータへ４相の駆動パルス信号を送出する回胴装置基板（図示せず）が取り付けられており、主制御基板２０が回胴装置基板に回胴駆動（励磁）パルスデータを送出することで、各リールの回転と制動および停止の制御を行っている。
【００４０】
リールユニット１００の下方には、メダルホッパ装置２１と、メダルホッパ装置２１から溢れたメダルを収容するための補助貯留部２２と、主電源装置２３が設けられている。主電源装置２３の側面には、いわゆる配電盤に相当する電源装置基板２４が設けられている。さらに、筐体２の上部右側の内壁に、遊技場に設置されている「ホールコンピュータ」と呼ばれる管理用コンピュータと接続可能な外部集中端子基板２５が取り付けられている。
【００４１】
次に、前扉３の裏面側上部には、照明装置４６の光源である高輝度の発光ダイオード３１が複数配列されると共に、上述の演出用放音部４７ａ、４７ｂに対向してスピーカ３２ａ、３２ｂが取り付けられている。また、図２には示していないが、スピーカ３２ａ、３２ｂの間に、表示装置４８が取り付けられている。さらに、表示装置４８の裏面側に、ＣＰＵ等を備えた回路基板で形成されたサブ制御基板３０が取り付けられている。
【００４２】
なお、スロットマシン１全体の動作は、筐体２側に設けられている主制御基板２０によって統括制御されており、サブ制御基板３０は、表示装置４８による演出映像の表示制御、照明装置４６、４９ａ、４９ｂを使った照明制御、およびスピーカ３２ａ、３２ｂ、等を使った演出効果音制御など、ゲームの演出に係る制御を主に行っている。
【００４３】
中央表示基板３３の下方には、メダルセレクタ（メダル選別装置）３４が取り付けられている。メダルセレクタ３４は、メダル投入口７１に投入されたメダルの真偽をセンサにより判別し振り分ける装置である。このセンサとしては、光センサ、磁気センサ等が使用される。また、メダルセレクタ３４は、メダル投入口７１から正規のメダルが投入され、センサがこのメダルを検出することによって、メダル投入の受け付けを示す信号を主制御基板２０へ送出する。また、不正なメダルが投入されると、このメダルをキャンセルシュート３６に排出する処理を行う。
【００４４】
メダルセレクタ３４の下方には、メダルセレクタ３４によって振り分けられた正規のメダルを筐体２内に設けられているメダルホッパ装置２１へ案内するガイド部材３５と、メダルセレクタ３４により排除されたメダル（または異物）をメダル払出口６１へ案内するキャンセルシュート（ガイド部材）３６が設けられている。また、前扉３の裏面側下部には、メダルホッパ装置２１から排出されたメダルをメダル払出口６１へ案内するガイド部材３７が設けられている。さらに、メダル払出口６１に隣接して、スピーカ３８が取り付けられている。
【００４５】
図３は、本発明を構成する遮蔽回転体８０の一実施形態を示す斜視図である。遮蔽回転体８０は、キャンセルシュート３６内に形成されている通路に、直線的な連通が生じないようにキャンセルシュート３６内に回転可能に設置されていると共に、メダルセレクタ３４から排出されたメダルを一旦収納し、遮蔽回転体８０の回転に伴ってこの収納したメダルをキャンセルシュート３６と連通しているメダル払出口６１に払出すために設置されるものである。
【００４６】
以下、図３に示す遮蔽回転体８０の構成について説明する。遮蔽回転体８０は、回転軸受部８１を回転中心として回転可能にキャンセルシュート３６に設置されている。回転軸受部８１の一方の端部には、回転軸受部８１を回転の中心とする円形の側壁円板８２が接続されている。側壁円板８２には、回転軸受部８１を中心として、側壁円板８２の半径方向に立設された第１の遮蔽部材８３ａ、８３ｂ、および８４ａ、８４ｂが設けられている。これら板形状をなす第１の遮蔽部材８３ａと８３ｂ、および８４ａと８４ｂは、側壁円板８２に対して垂直方向に立設され、回転軸受部８１を介して平面視で半径方向に直線状に形成されている。
【００４７】
第１の遮蔽部材８３ａと８４ａの一端部は、側壁円板８２の外周部まで延設されて、円弧状の板形状をなす円弧状外周部材８５に一体に接続されている。同様に、第１の遮蔽部材８３ｂと８４ｂの一端部は、側壁円板８２の外周部まで延設されて、円弧状の板形状をなす円弧状外周部材８６に一体に接続されている。これら円弧状外周部材８５と８６は、側壁円板８２の外周部と一体に、かつ側壁円板８２の外周部から垂直方向に立設されている。なお、図３においては、第１の遮蔽部材８３ａと８３ｂ、および、第１の遮蔽部材８４ａと８４ｂは、回転軸受部８１を中心として、側壁円板８２の半径方向に互いに約９０°の角度で交差するように設けた例を示している。
【００４８】
さらに、第１の遮蔽部材８３ａと８４ｂとにより囲まれた部分には、側壁円板８２の回転と共に回転し平面視で扇型形状をなすメダル収納空間部８７を設けている。同様に、第１の遮蔽部材８３ｂと８４ａに囲まれた部分には、側壁円板８２の回転と共に回転し平面視で扇型形状をなすメダル収納空間部８８を設けている。このように、図３に示す遮蔽回転体８０には、回転軸受部８１と対向する位置に２個のメダル収納空間部８７と８８が形成されるようにしている。
【００４９】
また、メダル収納空間部８７においては、側壁円板８２の外周部から回転軸受部８１方向に、所定の長さＬを有する第２の遮蔽部材８９が側壁円板８２の表面から垂直方向に立設されている。同様に、メダル収納空間部８８においては、側壁円板８２の外周部から回転軸受部８１方向には、所定の長さＬを有する第２の遮蔽部材９０が垂直方向に立設されている。これら第２の遮蔽部材８９、９０は、メダル収納空間部８７、８８を形成する側壁円板８２の外周部の中間部分から回転軸受部８１方向に立設するようにする。これにより、メダル収納空間部８７に位置する側壁円板８２の外周部には、開口部９１ａと９１ｂが形成される。同様に、メダル収納空間部８８に位置する側壁円板８２の外周部には、開口部９２ａと９２ｂが形成される。
【００５０】
メダル収納空間部８７、８８は、メダルセレクタ３４から排出されたメダルを一時的に受け入れて収納する空間部として使用される。このため、第２の遮蔽部材８９、９０の回転軸受部８１側の端部８９ａ、９０ａと回転軸受部８１との間には、少なくとも１個のメダルの収納と排出が可能な空間部が形成されるように上記した長さＬを適切に設定することが望ましい。
【００５１】
なお、図３においては、円弧状外周部材８５と８６、およびメダル収納空間部８７、８８は、回転軸受部８１を中心として互いに対向する位置に配設した例を示している。本発明において、遮蔽回転体８０は、例えば、メダル収納空間部８７のみを１個形成し、メダル収納空間部が形成されていない側壁円板８２の外周部には、円弧状外周部材８５を立設させた構成とすることもできる。
【００５２】
さらに、第１の遮蔽部材８３ａ、８３ｂ、８４ａ、８４ｂと、円弧状外周部材８５、８６と、第２の遮蔽部材８９、９０の立設高さは、ほぼ同一の高さＨになるようにする。そして、この高さＨに側壁円板８２の厚さを加えた値が、キャンセルシュート３６内の奥行き方向の長さ（図４に示す遮蔽回転体８０において、紙面と垂直方向）と若干小さくなるように、すなわち、キャンセルシュート３６内に遮蔽回転体８０を設置したときに、遮蔽回転体８０が回転可能、かつ、断面が長方形をなすキャンセルシュート３６の各内壁部と遮蔽回転体８０の各部材とがなす間隙を極力小さくするようにする。
【００５３】
また、円弧状外周部材８５、８６には、鉄などの磁性材料らなる磁性体９５が固定されている。磁性体９５は、遮蔽回転体８０の回転を磁気センサ９４（図４参照）により検出するために設置される。磁性体９５の形状は、例えば、長方形、正方形等、任意の形状にすることが可能であり、その設置位置は、円弧状外周部材８５、８６の内外壁の他に、側壁円板８２等に取り付けてもよい。また、磁性体９５を遮蔽回転体８０に固定する方法は、接着剤による固定等を採用することができる。
なお、図３に示す遮蔽回転体８０の第１の遮蔽部材８３ａ、８３ｂ、８４ａ、８４ｂ、円弧状外周部材８５、８６、および第２の遮蔽部材８９、９０は、遮蔽部材を構成する。
【００５４】
上記した遮蔽回転体８０を構成する各部材は、例えば、ポリエチレン樹脂等の合成樹脂製とすることができる。また、遮蔽回転体８０の製作は、プラスチック射出成形機を用いた射出成形により一体に製造することができる。
【００５５】
続いて、上記した遮蔽回転体８０をキャンセルシュート３６内に設置したときの構成について説明する。図４は、遮蔽回転体８０をキャンセルシュート３６内に設置したときの一実施形態を示す。遮蔽回転体８０は、メダルセレクタ３４から排出されたメダルをメダル払出口６１に払出すためのキャンセルシュート３６内に設置するが、その設置位置は、メダルホッパ装置２１から排出されたメダルをメダル払出口６１へ案内するガイド部材３７がキャンセルシュート３６と合流する合流部Ｇより上方に位置にする。
【００５６】
図４に示すように、断面が長方形の形状をなすキャンセルシュート３６の側壁の一方に、円弧状に膨出する円弧状膨出３６ａを形成する。そして、この円弧状膨出３６ａ内に沿って、平面視で遮蔽回転体８０の約半分が配設されると共に、遮蔽回転体８０は、回転軸９３を介してＡ方向に回転可能に設置する。このとき、遮蔽回転体８０の第１の遮蔽部材８３ａ、８３ｂ、８４ａ、８４ｂと、第２の遮蔽部材８９、９０と、円弧状外周部材８５、８６とが、キャンセルシュート３６の円弧状膨出３６ａとこの円弧状膨出３６ａと対向する側壁３６ｂ、および、円弧状膨出３６ａと側壁３６ｂと直交するキャンセルシュート３６の側壁に対して、接触しない程度に近接した状態で、回転可能に設置する。なお、遮蔽回転体８０は、モータ等の駆動装置からの回転力を回転軸９３に伝達することにより、例えば、常時一定の速度で回転させるか、あるいは、メダルセレクタ３４から排出されたメダルをセンサにより検出し、その検出信号に基づいて所定の角度ほど回転させるように制御する。
【００５７】
また、キャンセルシュート３６には、遮蔽回転体８０の回転を検出するためのセンサ、例えば、磁気センサ９４を円弧状膨出３６ａ等に設置する。さらに、前記したように、この磁気センサ９４により検出する磁性体９５を、例えば、遮蔽回転体８０の円弧状外周部材８５、８６に設置する。なお、遮蔽回転体８０の回転を検出するためのセンサとしては、磁気センサの他に、光センサ等を使用することができる。
【００５８】
続いて、スロットマシン１の動作を制御するための制御機構を、図５に基づいて説明する。スロットマシン１は、マイクロコンピュータから構成される主制御基板２０とサブ制御基板３０のＲＯＭに搭載されているプログラム処理に従ってその動作が制御される。
【００５９】
主制御基板２０は、ＣＰＵ２０１、ＲＯＭ２０２、ＲＡＭ２０３等の半導体メモリ、および入出力インターフェイス回路２０４、２０５等を備えた回路基板から構成されている。ＲＯＭ２０２には、スロットマシン１のゲームの動作を統括して制御するための動作制御プログラム２０６が記憶されている。そして、動作制御プログラム２０６は、ゲームの進行に応じて作動される内部抽選プログラム２０７、リール駆動・停止制御プログラム２０８、遮蔽回転体異常検出プログラム２０９、等のサブプログラムを備えている。さらに、ＲＯＭ２０２には、これらプログラムが参照する各種のデータテーブルが記憶されている。このデータテーブルとして、例えば、図柄配列データ２１０、入賞抽選テーブル２１１、等が記憶されている。
【００６０】
図柄配列データ２１０は、各リール１０１ａ、１０１ｂ、１０１ｃの外周面に配列されている図柄について、その図柄の配列順序を図柄コード順に表したデータテーブルであって、変動表示している図柄を停止制御するとき等に参照される。入賞抽選テーブル２１１は、遊技者がスタートレバーを傾倒操作させたときに、乱数を発生させて入賞役（特別入賞役、小役、リプレイ）に当選するか否かの内部抽選を行うときに参照されるデータテーブルである。
【００６１】
さらに、主制御基板２０には、ベットボタン７２、７３、７４、スタートレバー７５、ストップボタン７６ａ、７６ｂ、７６ｃ等の操作スイッチ類、メダルセレクタ３４に設けられているメダル検出センサ３４ａ、遮蔽回転体８０の回転を検出するための磁気センサ９４、メダルセレクタ３４から排出されたメダルを検出するためのセンサ９６ｂ等のセンサ類、メダルホッパ装置２１のメダル払出装置、タイマ２１２、遮蔽回転体８０を駆動させるための駆動装置９７、等が入出力インターフェイス回路２０４を介して接続されている。
【００６２】
また、主制御基板２０は、各リール１０１ａ、１０１ｂ、１０１ｃに設けられる基準位置センサ１２０ａ、１２０ｂ、１２０ｃの検出信号を入力するための入出力インターフェイス回路２０５を備えている。そして、リール駆動・停止制御プログラム２０８は、各リールの基準となる回転位置を基準位置センサ１２０ａ、１２０ｂ、１２０ｃの検出信号により把握しながら、回胴装置基板に所定の回胴駆動パルスデータを送出する。これにより、リール駆動・停止制御プログラム２０８は、各ステッピングモータ１１０ａ、１１０ｂ、１１０ｃの回転駆動を制御して、各リール１０１ａ、１０１ｂ、１０１ｃの回転及び停止の制動を行うことが可能になる。
【００６３】
さらに、主制御基板２０には、サブ制御基板３０が配線ケーブルによって接続されている。サブ制御基板３０は、主制御基板２０からの制御コマンドと制御データに基づいて表示装置４８、照明装置４６、４９ａ、４９ｂ、スピーカ３２ａ、３２ｂ、３８を制御することで、遊技者の視覚や聴覚に訴える演出をゲームの進行に応じて行う。また、サブ制御基板３０には、ブザー等の警報装置９８が接続されている。
【００６４】
さらに、主制御基板２０のＲＡＭ２０３には、入賞役の抽選結果を記憶する内部抽選フラグ２１２、回転しているリールの現在位置や停止制御を行うためのデータを記憶するリール制御フラグ２１３等の領域が設定されている。これらのフラグは、動作制御プログラム２０６、内部抽選プログラム２０７、およびリール駆動・停止制御プログラム２０８が参照し、必要に応じて新しいデータが記憶される。
【００６５】
続いて、本発明の作用について説明する。まず、メダル投入口７１から投入されたメダルについて、メダルセレクタ３４により不正なメダルとしてキャンセルシュート３６に排出されたメダルが、メダル受皿６ａに払出されるまでの作用について説明する。
【００６６】
まず、遮蔽回転体８０が駆動装置９７により、所定の速度でＡ方向に回転制御されている場合の作用について説明する。
メダルセレクタ３４により不正なメダルとして判定されたメダルＭは、図６に示すように、キャンセルシュート３６の上部３６ｃに排出される。そして、この排出されたメダルＭは、キャンセルシュート３６内に設置されている遮蔽回転体８０の開口部９１ａ、９１ｂ、９２ａ、９２ｂのいずれかを通って、遮蔽回転体８０のメダル収納空間部８７、または８８に収納される。図６においては、メダル収納空間部８８にメダルＭが収納されたことを示している。
【００６７】
なお、遮蔽回転体８０はＡ方向に一定速度で回転しているので、メダルＭがキャンセルシュート３６に排出されたときに、遮蔽回転体８０の円弧状外周部材８５または８６がキャンセルシュート３６内の上方部を塞いでいる状態の場合、メダルＭは円弧状外周部材８５または８６上に落下する。しかし、遮蔽回転体８０はＡ方向に回転しているので、円弧状外周部材８５上または８６上に落下したメダルＭは、円弧状外周部材８５上または８６上に載置された状態でＡ方向に移動し、キャンセルシュート３６の側壁３６ｂに当接すると移動は停止する。そして、メダル収納空間部８７または８８がこの停止しているメダルＭの位置に回転してくると、このメダルＭはメダル収納空間部８７または８８に落下して、メダル収納空間部８７または８８に収納されることになる。
【００６８】
メダル収納空間部８８に収納されたメダルＭは、遮蔽回転体８０の回転に伴って、図６に示す状態から図７に示す状態になり、さらに、図８に示す状態になる。そして、図８に示すように、メダル収納空間部８７または８８が、キャンセルシュート３６の下方部３６ｄに位置すると、メダル収納空間部８７または８８に収納されたメダルＭは、自重により開口部９１ａ、９１ｂ、９２ａ、９２ｂの何れを通過してキャンセルシュート３６の下方部３６ｄに落下する。キャンセルシュート３６の下方部３６ｄに落下したメダルＭは、メダル払出口６１を通過してメダル受皿６ａに払出される。これにより、メダルセレクタ３４から不正なメダルとして排出されたメダルＭは、遮蔽回転体８０に留まることなく、遮蔽回転体８０の回転により、確実にメダル払出口６１からメダル受皿６ａに払出すことができるようになる。
【００６９】
続いて、不正行為者がメダル払出口６１からピアノ線等の針金を含む異物を挿入してメダルセレクタ３４のセンサの誤作動を行なおうとしたときに、この不正行為を遮蔽回転体８０等により防止する作用について説明する。
【００７０】
遮蔽回転体８０は、その各部材がキャンセルシュート３６の側壁となす間隔を１ｍｍ以下と極めて微小にして、キャンセルシュート３６内で回転可能に設置することができる。そして、図６に示すように、メダル収納空間部８８の開口部９２ａ、９２ｂが遮蔽回転体８０の上方部に位置しているときには、第１の遮蔽部材８３ａ、８４ａと円弧状外周部材８５、および第１の遮蔽部材８３ｂ、８４ｂと円弧状外周部材８６とが、キャンセルシュート３６内の通路を塞いでいる状態、すなわち、キャンセルシュート３６内に直線的な連通が生じないようにすることが可能になる。これにより、遮蔽回転体８０が概略図６に示すような回転位置にあるときは、メダル払出口６１からピアノ線等の異物を挿入し、この異物の先端部をメダルセレクタ３４の位置まで到達させることは不可能になる。
【００７１】
遮蔽回転体８０が図６に示す状態からＡ方向に約４５°回転して図７に示す状態、すなわち、メダル収納空間部８８がキャンセルシュート３６の側壁３６ｂの近傍に位置する状態になると、メダル収納空間部８８の外周部には円弧状外周部材が形成されていないので、第１の遮蔽部材８３ｂと８４ａとはキャンセルシュート３６内の通路を塞ぐことができなくなる。しかし、図７に示すように、メダル収納空間部８８において側壁円板８２の外周部のほぼ中央部から回転軸９３方向に長さＬほど配設されている第２の遮蔽部材９０が、平面視でキャンセルシュート３６内の直線状の連通を阻止する位置になる。これにより、メダル払出口６１からキャンセルシュート３６内に挿入されたピアノ線等の異物は、第２の遮蔽部材９０が障害になり、この異物の先端部を容易にメダルセレクタ３４に到達させることが不可能になる。
【００７２】
遮蔽回転体８０がさらに約４５°回転して、図７示す状態から図８に示す状態になると、第１の遮蔽部材８３ｂと円弧状外周部材８６、および第１の遮蔽部材８４ａとがキャンセルシュート３６内を塞ぐ状態、すなわち、キャンセルシュート３６内に直線状の連通が生じない状態になる。このため、メダル払出口６１からキャンセルシュート３６内に挿入されたピアノ線等の異物は、この第１の遮蔽部材８３ｂと円弧状外周部材８６等が障害になり、その先端部等をメダルセレクタ３４に到達させることが不可能になる。
【００７３】
上記のように、キャンセルシュート３６内に設置されて所定の速度で回転する遮蔽回転体８０は、その回転位置が如何なる状態になっても、第１の遮蔽部材８３ａ、８３ｂ、８４ａ、８４ｂ、円弧状外周部材８５と８６、および第２の遮蔽部材８９、９０が、キャンセルシュート３６内の直線的な連通が生じることを防止する作用を行う。これにより、本発明のスロットマシンにおいては、細くて剛性があるピアノ線等の異物をメダル払出口６１からキャンセルシュート３６内に挿入する不正行為を行っても、この異物をメダルセレクタ３４に達することを防止することができる。
【００７４】
さらに、本発明においては、遮蔽回転体８０の回転を検出するためのセンサ９４を設置している。これにより、メダル払出口６１からキャンセルシュート３６内にピアノ線等を挿入するという不正行為が発生したときには、遮蔽回転体８０の回転が異常になるので、センサ９４によりこの回転異常を直ちに発見することができる。
【００７５】
続いて、この遮蔽回転体８０について、その回転異常を検出する手段について説明する。
スロットマシン１の電源が投入されると、動作制御プログラム２０６は遮蔽回転体８０の駆動装置９７の制御装置に制御信号を出力して、遮蔽回転体８０を所定の一定速度で回転させるように制御する。そして、遮蔽回転体８０が１回転（３６０°）または１８０°回転するごとに、磁気センサ９４は磁性体９５を検出し、この検出信号は主制御基板２０に入力される。主制御基板２０のＲＯＭ２０２に搭載されている遮蔽回転体異常検出プログラム２０９は、この遮蔽回転体８０の１回転（または１８０°回転）信号が入力されるごとにその入力信号の時間間隔、すなわち、１回転（または１８０°回転）に要した時間を常時計測する処理を行う。遮蔽回転体８０は、予め設定した所定の速度、例えば、１回転に要する時間が１秒になるように設定することにより、遮蔽回転体異常検出プログラム２０９は、この１回転に要した時間が予め設定された所定の回転時間より誤差が生じたときには、遮蔽回転体８０の回転に異常が発生したと判定することができる。例えば、不法行為によりメダル払出口６１から異物が挿入され、この異物が遮蔽回転体８０に接触すると遮蔽回転体８０の回転が停止するか、あるいは回転速度が低下するので、遮蔽回転体８０の回転異常を検出することが可能になる。
【００７６】
このようにして、遮蔽回転体異常検出プログラム２０９は、例えば、遮蔽回転体８０の１回転に要する時間が予め設定された所定の回転時間より３０％以上長く要した場合には、遮蔽回転体８０に回転異常が発生したと判定し、この回転異常発生の制御コマンドをサブ制御基板３０に送信する処理を行う。そして、サブ制御基板３０に搭載されている演出制御プログラムは、警報装置９８を作動させて遊技ホールの従業員に報知する処理を行うようにする。これにより、不正行為を発見することができるようになる。
上記した磁気センサ９４、磁性体９５、遮蔽回転体異常検出プログラム２０９および警報装置９８等は、本発明の遮蔽回転体異常検出手段を構成する。
【００７７】
なお、図７に示すように、メダル収納空間部８７または８８がキャンセルシュート３６の側壁３６の近傍に位置したときに、屈曲したピアノ線等の異物をメダル収納空間部８７または８８内の空間部を通過させることは可能であるが、遮蔽回転体８０の回転に伴って、この異物に第１の遮蔽部材８３ａ、８３ｂ、８４ａ、８４ｂ等が絡んで遮蔽回転体８０の回転は停止することになる。これにより、上記した遮蔽回転体異常検出手段により、不正行為を直ちに発見することが可能になる。
【００７８】
上記した本発明の実施形態においては、遮蔽回転体８０は駆動装置９７により常時Ａ方向に所定の速度で回転させる例について説明した。メダル投入口７１から不正なメダルが投入される頻度は、極めて希にしか発生しないと考えられるので、常時、遮蔽回転体８０を駆動モータ９３等により所定の速度で回転させておくと、電力の無駄使いになる。
そこで、本発明においては、通常は遮蔽回転体８０を停止状態にしておき、メダルセレクタ３４から不正なメダルＭがキャンセルシュート３６内に排出されたことをセンサにより検出し、このセンサの検出信号に基いて遮蔽回転体８０を、例えば、１８０°、または１回転（３６０°）させる手段を採用することも可能である。
【００７９】
図９は、上記したメダルセレクタ３４から不正なメダルＭがキャンセルシュート３６内に排出されたときのみに、遮蔽回転体８０を１８０°、または１回転（３６０°）させるための実施形態の例を示す。
図９においては、キャンセルシュート３６の上方部３６ｃの側壁にメダルセレクタ３４から排出されたメダルＭを検出するセンサ９６ａ、９６ｂを設けている。センサ９６ａ、９６ｂとしては光センサ（発光装置９６ａと受光センサ９６ｂ）等を用いることができる。メダルセレクタ３４からメダルＭが排出されると、受光センサ９６ｂによりこのメダルＭを検出することができるので、この検出信号を主制御基板２０に入力することにより、遮蔽回転体８０の回転制御を行うことが可能になる。
【００８０】
また、通常の状態においては、図９に示すように、遮蔽回転体８０のメダル収納空間部８７または８８がキャンセルシュート３６の上方部３６ｃを向く位置で停止させるように制御する。そして、遮蔽回転体８０の回転の制御方法は、次のような手段により実施することができる。
【００８１】
メダルセレクタ３４から排出されたメダルＭを受光センサ９６ｂが検出すると、数ｍ秒後には、このメダルＭは遮蔽回転体８０のメダル収納空間部８８（またはメダル収納空間部８７）に収納される。従って、動作制御プログラム２０６は、受光センサ９６ｂからのメダルＭの検出信号が入力されてから所定時間経過後、例えば、０．５秒後に、遮蔽回転体８０を１８０°回転させるように制御すると、遮蔽回転体８０は図９に示す位置からＡ方向に回転し、図８に示す状態を経て１８０°回転して停止する。１８０°回転して停止したときには、図９に示すメダル収納空間部８７と８８の上下に位置が逆になる。
【００８２】
このように、遮蔽回転体８０がＡ方向に回転して図８に示す状態になると、前記したように、メダル収納空間部８８に収納されたメダルＭは、キャンセルシュート３６の下方部３６ｄに重力により落下する。そして、このメダル収納空間部８８から落下したメダルＭは、メダル払出口６１からメダル受皿６ａに払出されることになる。
【００８３】
なお、遮蔽回転体８０の１８０°の回転制御は、例えば、動作制御プログラム２０６の制御に基いて、円弧状外周部材８５、８６の内壁に回転軸９３に対して対象の位置に設定した磁性体９５を、磁気センサ９４で検出することにより可能になる。例えば、図９に示す状態のときに、受光センサ９６ｂがメダルＭを検出すると、所定時間経過した後、動作制御プログラム２０６は遮蔽回転体８０をＡ方向に回転させる制御信号を出力する。そして、遮蔽回転体８０がＡ方向に回転し、円弧状外周部材８５に設置されている磁性体９５が磁気センサ９４に到達する。磁気センサ９４がこの磁性体９５を検出するとその検出信号は主制御基板２０に入力される。続いて、動作制御プログラム２０６は、直ちに、遮蔽回転体８０の回転を停止する制御信号を出力して、遮蔽回転体８０の回転を停止させることができる。このような制御手段を採用することにより、メダルセレクタ３４からメダルＭが排出されると、遮蔽回転体８０を１８０°回転制御することが可能になる。
【００８４】
遮蔽回転体８０にメダル収納空間部８８を１個のみ形成させた場合には、メダルセレクタ３４からメダルＭが排出されると、上記の回転制御手段と同様の考え方により、遮蔽回転体８０を１回転（３６０°）の回転制御を行うようにする。また、遮蔽回転体８０の回転制御は、磁気センサ９４を用いる他に、パルスモータを用いて遮蔽回転体８０の回転制御を行うようにしてもよい。
なお、遮蔽回転体８０の駆動装置９７、磁気センサ９４、磁性体９５、センサ９６ａ、９６ｂ、動作制御プログラム２０６等は、遮蔽回転体制御手段を構成する。
【００８５】
なお、図９に示す実施形態においては、メダルセレクタ３４から排出されたメダルＭを、キャンセルシュート３６の側壁に設置した光センサ９６ａ、９６ｂにより検出する構成例について説明したが、本発明においては、メダル収納空間部８７または８８に収納されたメダルＭをセンサにより検出する手段を採用してもよい。
【００８６】
このような検出手段は、例えば、光センサ９６ａ、９６ｂを図９に示す位置よりさらに下方、すなわち、排出されたメダルＭが確実にメダル収納空間部８７または８８に収納されたことが確認できる位置に設置するようにする。あるいは、投光側のセンサを第１の遮蔽部材８３ａと８３ｂに設置し、受光側のセンサをキャンセルシュート３６の側壁３６ｂに設置して、排出されたメダルＭが確実にメダル収納空間部８７または８８に収納されたことが確認できるようにしてもよい。
さらに、メダル収納空間部８７または８８内に磁気センサを設置し、キャンセルシュート３６から排出されたメダルＭがメダル収納空間部８７または８８内に収納されたことをこの磁気センサで検出する。そして、この検出信号に基づいて遮蔽回転体８０の１８０°または３６０°の回転制御を行なう手段も採用することができる。
【００８７】
また、図９に示す実施形態のように、遮蔽回転体８０を１８０°または３６０°の回転制御を行うときには、メダル収納空間部８７、８８に収納したメダルＭがキャンセルシュート３６の下方部３６ｄに万一払出されないための対策として、キャンセルシュート３６の下方部３６ｄに、払出されたメダルＭを検出するための光センサを設置してもよい。このような対策を行った場合には、遮蔽回転体８０が１８０°または３６０°の回転制御中にこの光センサからのメダルＭの検出信号が入力されないときには、動作制御プログラム２０６は、遮蔽回転体８０をさらに１８０°または３６０°回転させる。そして、これでも、光センサからのメダルＭの検出信号が入力されないときには、警報装置９８等を作動させるようにする。
【００８８】
なお、図９に示すようにキャンセルシュート３６の側壁にセンサ９６ａ、９６ｂを設置すると、不正行為により、メダル払出口６１からキャンセルシュート３６内に挿入されたピアノ線等の異物を検出することも可能になる。すなわち、万一、ピアノ線等の異物が遮蔽回転体８０を通過した場合においても、この異物をセンサ９６ａ、９６ｂにより検出することが可能になる。そして、動作制御プログラム２０６は、この検出信号が所定の時間継続して入力されたとき、あるいは所定の時間について所定の回数以上この検出信号が入力されたときには、異常が発生したとして警報装置９８を作動させるように制御する。
【００８９】
また、図３に示す遮蔽回転体８０において、第１の遮蔽部材８３ａと８４ａおよび円弧状外周部材８５で囲まれた部分、同じく、第１の遮蔽部材８３ｂと８４ｂおよび円弧状外周部材８６で囲まれた部分は空洞状にした例を示したが、中実にしてもよい。
【００９０】
さらに、本発明を構成する遮蔽回転体８０は、回転軸受部８１から回転円周方向に延びる第１の遮蔽部材を、例えば、６０°間隔で配設した構成とし、隣どうしの第１の遮蔽部材が形成する扇型の空間部をメダル収納部とした構成にしてもよい。
【図面の簡単な説明】
【００９１】
【図１】本発明の一実施形態を示すスロットマシンの外観構造を説明するための斜視図である。
【図２】図１に示すスロットマシンの内部構造を示す図である。
【図３】本発明を構成する遮蔽回転体の構造を説明するための斜視図である。
【図４】図３に示す遮蔽回転体をキャンセルシュート内に設置したときの構成例を説明するための断面図である。
【図５】図１に示すスロットマシンの制御システムの一例を示すブロック図である。
【図６】図３に示す遮蔽回転体について、その作用を説明するための断面図である。
【図７】図３に示す遮蔽回転体について、同じく、その作用を説明するための他の断面図である。
【図８】図３に示す遮蔽回転体について、同じく、その作用を説明するための他の断面図である。
【図９】図３に示す遮蔽回転体の回転制御について、他の実施形態を説明するための断面図である。
【符号の説明】
【００９２】
１  ：スロットマシン
６ａ：メダル受皿
２０  ：主制御基板
３０  ：サブ制御基板
３４  ：メダルセレクタ
３６  ：キャンセルシュート
４２  ：表示窓
６１  ：メダル払出口
７１  ：メダル投入口
７２、７３、７４：ベットボタン
７５  ：スタートレバー
７６ａ、７６ｂ、７６ｃ：ストップボタン
８０  ：遮蔽回転体
８１  ：回転軸受部
８２  ：側壁円板
８３ａ、８３ｂ、８４ａ、８４ｂ：第１の遮蔽部材
８５、８６：円弧状外周部材
８７、８８：メダル収納空間部
８９、９０：第２の遮蔽部材
９１ａ、９１ｂ、９２ａ、９２ｂ：開口部
９３  ：回転軸
９４  ：磁気センサ
９５  ：磁性体
９６ａ、９６ｂ：光センサ
９７  ：遮蔽回転体の駆動装置
９８  ：警報装置
１０１ａ、１０１ｂ、１０１ｃ：リール
１２０ａ、１２０ｂ、１２０ｃ：基準位置センサ
２０１  ：ＣＰＵ
２０２  ：ＲＯＭ
２０３  ：ＲＡＭ
２０６  ：動作制御プログラム
２０９  ：遮蔽回転体異常検出プログラム
Ｍ      ：メダル
【図１】
2006198089.tif 000003
【図２】
2006198089.tif 000004
【図３】
2006198089.tif 000005
【図４】
2006198089.tif 000006
【図５】
2006198089.tif 000007
【図６】
2006198089.tif 000008
【図７】
2006198089.tif 000009
【図８】
2006198089.tif 000010
【図９】
2006198089.tif 000011